(57)【要約】【課題】電線の振動を良好に吸収する。【解決手段】ハウジング２０には、電線Ｗの端末に接続された雌端子金具１０が収容可能とされ、雌端子金具１０及び電線Ｗを挿通可能な挿通孔３２が開設された一括ゴム栓３０と、一括ゴム栓３０を保持するためのホルダ４０とが組み付けられている。挿通孔３２に電線Ｗを挿通すると、その周縁部３５が電線Ｗに密着することで電線Ｗ周りのシールが図られる。ホルダ４０には、圧接部４３が設けられるのに対し、一括ゴム栓３０には、圧接部４３を受け入れ可能な凹部３４が設けられている。ホルダ４０をハウジング２０に対して本係止位置に装着すると、圧接部４３が凹部３４内に圧入されるとともに挿通孔３２の周りを圧接することで、挿通孔３２の周縁部３５を径方向内方へ押圧して電線Ｗとの間で圧縮することができる。【選択図】  図６
2004342415.tif 000002
【特許請求の範囲】
【請求項１】
コネクタハウジングには、電線の端末に接続された端子金具が収容可能とされるとともに、端子金具及び電線を挿通可能な挿通孔が設けられたゴム栓と、このゴム栓を保持するためのホルダとが組み付けられ、且つ前記挿通孔の周縁部が挿通された前記電線に密着することで電線周りをシール可能とされており、
前記ホルダには、ホルダが前記コネクタハウジングに対して所定の位置に組み付けられると、前記ゴム栓における前記挿通孔の周りに圧接することで、挿通孔の周縁部を径方向内方へ押圧して電線との間で圧縮することが可能な圧接部が設けられていることを特徴とする防水コネクタ。
【請求項２】
前記挿通孔が縦横に複数個整列して設けられるものにおいて、前記圧接部は、前記ゴム栓のうち各挿通孔とは縦横にずれた位置に圧接するような配置となっていることを特徴とする請求項１記載の防水コネクタ。
【請求項３】
前記圧接部は、略筒状に形成されるとともに前記挿通孔を取り囲むようにしてゴム栓に対して圧接されるようになっていることを特徴とする請求項１記載の防水コネクタ。
【請求項４】
前記ゴム栓には、前記圧接部を受け入れ可能な凹部が設けられ、この凹部の径寸法は、圧接部の径寸法よりも小さく設定されていることを特徴とする請求項１ないし請求項３のいずれかに記載の防水コネクタ。
【請求項５】
前記ホルダと前記コネクタハウジングには、前記圧接部がゴム栓とは非接触とされる仮係止位置と、前記圧接部がゴム栓に圧接される本係止位置との２位置に前記ホルダを保持可能な保持手段が設けられていることを特徴とする請求項１ないし請求項４のいずれかに記載の防水コネクタ。
【発明の詳細な説明】
【０００１】
【発明の属する技術分野】
本発明は、防水コネクタに関する。
【０００２】
【従来の技術】
従来、防水コネクタの一例として下記特許文献１に記載されたものが知られている。このものは、ハウジングの後面側に端子金具及び電線を挿通可能な挿通孔を複数個備えた一括ゴム栓が装着されるとともにその後側に一括ゴム栓を保持するためのホルダが取り付けられている。ホルダにより一括ゴム栓を保持した状態で、端子金具を挿通孔に挿通しつつハウジングのキャビティ内に収容すると、電線の外周面に挿通孔の内周縁が密着することで電線周りのシールが図られる。
【０００３】
【特許文献１】
特開平１０−２１９８９号公報
【０００４】
【発明が解決しようとする課題】
ところで、例えば、電線における他方の端部（ハウジングから見て導出先側の端部）が接続される機器が頻繁に振動が発生するような場所に搭載された場合、その振動が電線を伝ってハウジング内の端子金具に悪影響を及ぼすことが懸念されるため、その対策が求められていた。
本発明は上記のような事情に基づいて完成されたものであって、電線の振動を良好に吸収することを目的とする。
【０００５】
【課題を解決するための手段】
上記の目的を達成するための手段として、請求項１の発明は、コネクタハウジングには、電線の端末に接続された端子金具が収容可能とされるとともに、端子金具及び電線を挿通可能な挿通孔が設けられたゴム栓と、このゴム栓を保持するためのホルダとが組み付けられ、且つ前記挿通孔の周縁部が挿通された前記電線に密着することで電線周りをシール可能とされており、前記ホルダには、ホルダが前記コネクタハウジングに対して所定の位置に組み付けられると、前記ゴム栓における前記挿通孔の周りに圧接することで、挿通孔の周縁部を径方向内方へ押圧して電線との間で圧縮することが可能な圧接部が設けられている構成としたところに特徴を有する。
【０００６】
請求項２の発明は、請求項１に記載のものにおいて、前記挿通孔が縦横に複数個整列して設けられるものにおいて、前記圧接部は、前記ゴム栓のうち各挿通孔とは縦横にずれた位置に圧接するような配置となっているところに特徴を有する。
請求項３の発明は、請求項１に記載のものにおいて、前記圧接部は、略筒状に形成されるとともに前記挿通孔を取り囲むようにしてゴム栓に対して圧接されるようになっているところに特徴を有する。
【０００７】
請求項４の発明は、請求項１ないし請求項３のいずれかに記載のものにおいて、前記ゴム栓には、前記圧接部を受け入れ可能な凹部が設けられ、この凹部の径寸法は、圧接部の径寸法よりも小さく設定されているところに特徴を有する。
請求項５の発明は、請求項１ないし請求項４のいずれかに記載のものにおいて、前記ホルダと前記コネクタハウジングには、前記圧接部がゴム栓とは非接触とされる仮係止位置と、前記圧接部がゴム栓に圧接される本係止位置との２位置に前記ホルダを保持可能な保持手段が設けられているところに特徴を有する。
【０００８】
【発明の作用及び効果】
＜請求項１の発明＞
端子金具及び電線を挿通孔に挿通するとともに、ホルダをコネクタハウジングに対して所定の位置に組み付けると、ゴム栓における挿通孔の周りが圧接部により圧接されることで、挿通孔の周縁部が径方向内方へ押圧されて電線との間で圧縮される。これにより、挿通孔の周縁部の硬度が高められるので、電線に対する振動吸収性能を向上させることができる。
【０００９】
＜請求項２の発明＞
圧接部がゴム栓のうち各挿通孔とは縦横にずれた位置に圧接するようにしたから、各挿通孔間のピッチを狭くした場合でも挿通孔の周縁部を良好に圧縮することができ、もって小型化に好適となる。
＜請求項３の発明＞
略筒状に形成した圧接部により挿通孔の周りを全周にわたって圧接できるので、挿通孔の周縁部を均一に圧縮することができる。
【００１０】
＜請求項４の発明＞
凹部と圧接部との径寸法の差を調整することで、挿通孔の周縁部の硬さ、すなわち振動吸収性能を必要に応じて適切に設定することができる。また凹部を設けない場合と比較すると、ホルダを組み付けるのに必要な力を低減することができる。
＜請求項５の発明＞
コネクタハウジングに対してホルダを仮係止位置に保持した状態で、端子金具をコネクタハウジング内に挿入する。このとき、圧接部がゴム栓とは非接触とされているので、端子金具を挿通するときの挿入抵抗が小さくなっており、作業性が良好となる。またホルダ及びゴム栓をコネクタハウジングに対して仮保持することができるので、取り扱いが簡便となる。その後、ホルダを本係止位置に保持させることで、圧接部をゴム栓に圧接することができる。
【００１１】
【発明の実施の形態】
以下、本発明の実施形態を添付図面に基づいて説明する。
＜第１実施形態＞
本発明の第１実施形態を図１ないし図６によって説明する。この第１実施形態では、複数本の電線Ｗを一括してシールする一括ゴム栓３０を備えた防水コネクタを示す。このものは、図３に示すように、合成樹脂製のコネクタハウジング２０（以下、単にハウジング２０という）と、ハウジング２０内に収容される電線Ｗに接続した雌端子金具１０と、ハウジング２０に装着されて電線Ｗの周りをシール可能な一括ゴム栓３０と、ハウジング２０に装着されて一括ゴム栓３０を保持可能なホルダ４０とから構成されている。なお、以下ではハウジング２０に対する雌端子金具１０の挿入方向を前方とし、逆の抜き取り方向を後方として説明する。
【００１２】
雌端子金具１０は、相手の雄端子金具と導通接続可能な本体部１１と、電線Ｗを圧着接続するバレル部１２とを前後に繋げた構成とされている。このうち本体部１１は、略箱型に形成されるとともに、その外形が電線Ｗの外周面よりも外側に張り出すような大きさとされている。
【００１３】
ハウジング２０には、電線Ｗの端末に接続された雌端子金具１０を後方から挿入可能なキャビティ２１が高さ方向及び幅方向に３室ずつ等間隔に整列して設けられている。ハウジング２０の後面には、一括ゴム栓３０やホルダ４０を収容可能な収容室２２が後方へ開口して設けられている。収容室２２には、全てのキャビティ２１が開口している。ハウジング２０の後部の両外側面には、ホルダ４０を保持するための本係止用保持部２３と仮係止用保持部２４とが前後に並んだ状態で一対ずつ外方へ突出して設けられている。
【００１４】
一括ゴム栓３０は、図２及び図３に示すように、略四角形（ほぼ正方形）の板状に形成されており、その外周面には、収容室２２の内周面に密着して両面間を液密状に保つためのリップ３１が前後に３条並んだ状態で周設されている。一括ゴム栓３０には、雌端子金具１０及び電線Ｗを挿通可能な挿通孔３２が前後に貫通して設けられている。挿通孔３２は、高さ方向及び幅方向（縦横）に３個ずつ等間隔に整列して配設されており、一括ゴム栓３０が収容室２２に収容されたときに各キャビティ２１に連通するような配置となっている。各挿通孔３２の内周面には、電線Ｗの外周面に密着して両面間を液密状に保つためのリップ３３が前後に３条並んだ状態で周設されている。
【００１５】
ホルダ４０は、図１及び図３に示すように、一括ゴム栓３０と同じぐらいの大きさの略四角形の板状に形成されている。ホルダ４０には、雌端子金具１０及び電線Ｗを挿通可能な挿通孔４１が前後に貫通して設けられている。挿通孔４１は、高さ方向及び幅方向に３個ずつ等間隔に整列して配設されており、ハウジング２０に装着したときに一括ゴム栓３０の挿通孔３２やキャビティ２１に連通するような配置となっている。従って、ホルダ４０における各挿通孔４１間の高さ方向及び幅方向のピッチは、一括ゴム栓３０の各挿通孔３２間のピッチや各キャビティ２１間のピッチとほぼ同一となっている。各挿通孔４１は、雌端子金具１０の本体部１１を挿通できるよう四角形に形成されている。
【００１６】
ホルダ４０の両外側面には、前方へ延出して片持ち状をなす保持片４２が一対設けられている。この保持片４２は、ハウジング２０の仮係止用保持部２４や本係止用保持部２３に係止されることで、ハウジング２０に対してホルダ４０を前後に異なる２位置に選択的に保持できるようになっている。詳しくは、保持片４２が仮係止用保持部２４に係止した状態では、図４に示すように、ホルダ４０が収容室２２に収容されず、ハウジング２０の後面（一括ゴム栓３０）よりも後方位置に配され、このホルダ４０の装着位置が仮係止位置となっている。一方、保持片４２が本係止用保持部２３に係止した状態では、図６に示すように、ホルダ４０が収容室２２内にすっぽりと収容されてハウジング２０の後面と面一をなし、且つ一括ゴム栓３０の後面に当接して配され、このホルダ４０の装着位置が本係止位置となっている。
【００１７】
さて、ホルダ４０の前面には、図１ないし図３に示すように、ゴム栓における各挿通孔３２の周りに圧接可能とされる圧接部４３が複数設けられるのに対し、一括ゴム栓３０の後面には、圧接部４３を受け入れ可能な凹部３４が圧接部４３と同数設けられている。圧接部４３は、ホルダ４０の前面から前方へ突出する略円柱状に形成されており、その先端周縁部が面取りされている。圧接部４３は、図１に示すように、ホルダ４０において各挿通孔４１とは斜めにずれた位置、すなわち高さ方向及び幅方向（縦横）にずれた位置に配されており、詳しくは各挿通孔４１間における高さ方向のピッチ及び幅方向のピッチの半分ずつ各挿通孔４１とは縦横にずれた位置に計１６個配設されている。圧接部４３は、高さ方向及び幅方向に４個ずつ等間隔に整列して配設されており、各圧接部４３間の高さ方向及び幅方向のピッチは、各挿通孔４１間のピッチとほぼ同じとなっている。
【００１８】
一方、凹部３４は、各圧接部４３に対応した配置とされ、図２に示すように、一括ゴム栓３０において各挿通孔３２とは斜めにずれた位置、すなわち高さ方向及び幅方向にずれた位置に配されており、詳しくは各挿通孔３２間における高さ方向のピッチ及び幅方向のピッチの半分ずつ各挿通孔３２とは縦横にずれた位置に計１６個配設されている。凹部３４は、高さ方向及び幅方向に４個ずつ等間隔に整列して配設されており、各凹部３４間の高さ方向及び幅方向のピッチは、各挿通孔３２間のピッチとほぼ同じとなっている。各凹部３４は、図３に示すように、圧接部４３の進入を許容するよう後方へ開口する略円形の溝状に形成されている。各凹部３４は、その深さ寸法が一括ゴム栓３０の厚み寸法の半分強程度とされ、その径寸法Ａは、圧接部４３の外径寸法Ｂよりも小さく設定されている。従って、圧接部４３は、凹部３４を押し広げつつ圧入されるようになっており、それに伴って挿通孔３２の周縁部３５（後側の２つのリップ３３を含む）が径方向内方へ押圧されるとともに電線Ｗとの間で圧縮され、その硬度が高められるようになっている。このとき、１つの挿通孔３２を取り囲む４つの凹部３４は、その挿通孔３２からほぼ同じ距離だけ離間した位置に配されているので、周縁部３５に対して各圧接部４３から作用する押圧力をほぼ均一なものとすることができる。
【００１９】
そして、ホルダ４０がハウジング２０に対して仮係止位置に装着された状態では、図４に示すように、圧接部４３は、一括ゴム栓３０から後方へ離間（退避）して非接触状態とされ、凹部３４とは前後に対向して配される。これに対し、ホルダ４０が本係止位置に装着された状態では、図６に示すように、圧接部４３は、凹部３４内に圧入されるようになっている。
【００２０】
本実施形態は以上のような構造であり、続いてその作用について説明する。防水コネクタを組み付けるには、図３に示す状態から一括ゴム栓３０を収容室２２内に後方から収容した後、その後側からホルダ４０をハウジング２０に取り付ける。このとき、保持片４２を仮係止用保持部２４に係止させることで、図４に示すように、ホルダ４０を仮係止位置に装着しておく。これにより、一括ゴム栓３０及びホルダ４０をハウジング２０に仮保持して一体に扱うことができるので、取り扱いが簡便となる。
【００２１】
上記のようにホルダ４０を仮係止位置に装着した状態で、ハウジング２０の各キャビティ２１内に電線Ｗに接続した各雌端子金具１０を挿入する作業を行う。雌端子金具１０がホルダ４０の挿通孔４１を通過した後、一括ゴム栓３０の挿通孔３２内に挿通されるときには、挿通孔３２を弾性的に拡径させつつ前方のキャビティ２１内へと挿入される。このとき、凹部３４には圧接部４３が進入していないので、雌端子金具１０の挿通過程で挿通孔３２の周縁部３５が凹部３４側に逃がされる。従って、雌端子金具１０の挿入抵抗が低くなり、挿入作業がし易くなっている。雌端子金具１０がキャビティ２１内に正規深さまで挿入された状態では、図５に示すように、電線Ｗが挿通孔３２に挿通され、リップ３３が電線Ｗの外周面に密着する。
【００２２】
全ての雌端子金具１０を挿入し終えたら、仮係止位置からホルダ４０を前方へ押し込んで本係止位置側へ移動させる。保持片４２が仮係止用保持部２４から外れて本係止用保持部２３に係止することで、図６に示すように、ホルダ４０が本係止位置に保持される。この過程では、各圧接部４３が対応する各凹部３４を押し広げ（拡径し）つつ圧入（圧接）されるとともに、挿通孔３２の周縁部３５が径方向内方へ押圧されて圧接部４３と電線Ｗとの間で圧縮変形される。これにより、挿通孔３２の周縁部３５は、一括ゴム栓３０における他の部分よりも硬度が高められることになる。従って、ハウジング２０から後方へ引き出された電線Ｗにおける後端部（雌端子金具１０が接続された端部とは反対側の端部）が接続された図示しない機器が、例えば自動車のエンジンルームの近くなど、頻繁に振動が発生し得るような場所に搭載された場合でも、一括ゴム栓３０において局所的に硬化された挿通孔３２の周縁部３５によって電線Ｗに伝わる振動を良好に吸収することができる。これにより、ハウジング２０内の雌端子金具１０に外部の振動が伝わり難くすることができるので、例えば雌端子金具１０が相手の雄端子金具と接触した状態においてその接触部位が摩耗するといった事態を防ぐことができる。なお、挿通孔３２の周縁部３５が圧縮されることで、電線Ｗと挿通孔３２との間のシール性が向上する。また、一括ゴム栓３０における最外周に配された凹部３４に圧入される圧接部４３により、一括ゴム栓３０における外周端部（リップ３１を含む）が収容室２２の内周面との間で圧縮されるので、収容室２２と一括ゴム栓３０との間のシール性が向上する。
【００２３】
以上説明したように本実施形態によれば、ホルダ４０に設けた圧接部４３により一括ゴム栓３０の挿通孔３２の周りが圧接されることで、挿通孔３２の周縁部３５が径方向内方へ押圧されて電線Ｗとの間で圧縮される。これにより、挿通孔３２の周縁部３５の硬度を高めることができるので、電線Ｗに対する振動吸収性能を向上させることができる。
【００２４】
しかも、圧接部４３が一括ゴム栓３０のうち各挿通孔３２とは縦横にずれた位置に圧接するようにしたから、各挿通孔３２間のピッチが狭い場合でも圧接スペース（圧接部４３及び凹部３４の配設スペース）を十分に確保することができ、挿通孔３２の周縁部３５を良好に圧縮することができる。もって小型の防水コネクタにおいて好適となる。
【００２５】
さらには、一括ゴム栓３０に圧接部４３を受け入れ可能な凹部３４を設け、この凹部３４の径寸法Ａを圧接部４３の径寸法Ｂよりも小さく設定するようにしたから、両者３４，４３の径寸法の差を適宜に調整することで、挿通孔３２の周縁部３５の硬さ、すなわち振動吸収性能を必要に応じて適切に設定することができる。また圧接部４３が凹部３４内に進入するようになっているので、仮に凹部を形成せずに圧接部が一括ゴム栓の後面に圧接するものと比較すると、ホルダ４０を本係止位置に組み付けるのに必要な力を低減することができる。
【００２６】
その上、ハウジング２０に対して仮係止位置に保持した状態で雌端子金具１０の挿入作業を行うことで、圧接部４３が一括ゴム栓３０とは非接触とされているので、雌端子金具１０の挿入作業がし易くなる。しかも、雌端子金具１０が挿通孔３２を通過するときは、挿通孔３２の周縁部３５が凹部３４側に逃がされることで、雌端子金具１０の挿入抵抗が低減され、挿入作業が一層し易くなっている。またホルダ４０及び一括ゴム栓３０をハウジング２０に対して仮保持して一体に扱うことができるので、取り扱いが簡便となる。
【００２７】
＜第２実施形態＞
本発明の第２実施形態を図７ないし図９によって説明する。この第２実施形態では、圧接部４３Ａ及び凹部３４Ａの形状を変更したものを示す。なお、第２実施形態では、第１実施形態と同様の構造については同一符号を付すとともに重複する説明を省略する。
【００２８】
圧接部４３Ａは、図７及び図９（Ａ）に示すように、ホルダ４０の前面から前方へ突出するとともに挿通孔４１を取り囲む略円筒状に形成されており、各挿通孔４１毎に計９個設けられている。これに対し、凹部３４Ａは、図８及び図９（Ａ）に示すように、一括ゴム栓３０の後面において後方へ開口するとともに挿通孔３２を取り囲む円環形の溝状に形成されており、各挿通孔３２毎に計９個設けられている。凹部３４Ａにおける溝幅Ｃ（径寸法）は、圧接部４３Ａにおける厚み寸法Ｄ（径寸法）よりも小さく設定されている。従って、電線Ｗを挿通孔３２に挿通した状態でホルダ４０を本係止位置へ移動させると、図９（Ｂ）に示すように、圧接部４３Ａが凹部３４Ａ内に圧入されるとともに挿通孔３２の周縁部３５が径方向内方へ押圧されて電線Ｗとの間で圧縮される。このとき、略円筒状に形成した圧接部４３Ａによって挿通孔３２の周りを全周にわたって圧接することができるので、挿通孔３２の周縁部３５を均一に圧縮することができ、もって電線Ｗに対する振動吸収性能が良好なものとなる。
【００２９】
＜第３実施形態＞
本発明の第３実施形態を図１０によって説明する。この第３実施形態では、一括ゴム栓３０に凹部を形成しないものについて示す。なお、第３実施形態では、第１実施形態と同様の構造については同一符号を付すとともに重複する説明を省略する。
【００３０】
圧接部４３Ｂは、図１０（Ａ）に示すように、挿通孔３２側を向いた内縁部４４がなだらかなテーパ状に形成され、言い換えると径方向外方へ行くに従って突出高さが次第に大きくなるよう形成されている。これにより、ホルダ４０を本係止位置に移動して圧接部４３Ｂが挿通孔３２の周りに圧接されると、図１０（Ｂ）に示すように、圧接部４３Ｂの内縁部４４によって挿通孔３２の周縁部３５が径方向内方へ押圧されて電線Ｗとの間で圧縮されるようになっている。このように第３実施形態によれば、上記第１，第２実施形態において凹部を形成した専用の一括ゴム栓が必要だったのと比較すると、凹部を形成していない通常の一括ゴム栓を使用できるので、コスト低減を図ることができる。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した第１実施形態では、圧接部及び凹部を各挿通孔間のほぼ中央に配置したものを示したが、それ以外にも任意に配置を変更することができる。また圧接部の形状を角柱状などに変更し、それに応じて凹部の形状を変更することも可能である。
【００３２】
（２）上記した第２実施形態では、圧接部の形状を円筒状にしたものを示したが、角筒状などに変更してもよく、またそれに応じて凹部の形状を変更することも可能である。
（３）上記した第１，第２実施形態では、凹部が一括ゴム栓において後方へのみ開口する溝状のものを示したが、凹部が一括ゴム栓を前後に貫通する孔状に形成したものも本発明に含まれる。
【００３３】
（４）上記した各実施形態では、一括ゴム栓を備えた防水コネクタを例示したが、各キャビティ内に個別に装着される個別型の防水ゴム栓にも本発明は適用可能である。
（５）上記した各実施形態では、雌端子金具を備えた雌側のコネクタを例示したが、雄端子金具を備えた雄側のコネクタにも本発明は適用可能である。
【図面の簡単な説明】
【図１】本発明の第１実施形態に係るホルダの正面図
【図２】一括ゴム栓の背面図
【図３】防水コネクタを分解した状態を示す図１及び図２のＸ−Ｘ線断面図
【図４】一括ゴム栓を収容しホルダを仮係止位置に装着した状態を示す図１及び図２のＸ−Ｘ線断面図
【図５】電線を挿通孔に挿通した状態を示す図１及び図２のＸ−Ｘ線断面図
【図６】ホルダを本係止位置に装着した状態を示す図１及び図２のＸ−Ｘ線断面図
【図７】本発明の第２実施形態に係るホルダの正面図
【図８】一括ゴム栓の背面図
【図９】（Ａ）ホルダを仮係止位置に装着し電線を挿通した状態を示す平断面図
（Ｂ）ホルダを本係止位置に装着した状態を示す平断面図
【図１０】（Ａ）本発明の第３実施形態に係るホルダを仮係止位置に装着して電線を挿通した状態を示す平断面図
（Ｂ）本発明の第３実施形態に係るホルダを本係止位置に装着した状態を示す平断面図
【符号の説明】
１０…雌端子金具（端子金具）
２０…ハウジング（コネクタハウジング）
２３…本係止用保持部（保持手段）
２４…仮係止用保持部（保持手段）
３０…一括ゴム栓（ゴム栓）
３２…挿通孔
３４…凹部
３５…周縁部
４０…ホルダ
４２…保持片（保持手段）
４３…圧接部
Ｗ…電線
【図１】
2004342415.tif 000003
【図２】
2004342415.tif 000004
【図３】
2004342415.tif 000005
【図４】
2004342415.tif 000006
【図５】
2004342415.tif 000007
【図６】
2004342415.tif 000008
【図７】
2004342415.tif 000009
【図８】
2004342415.tif 000010
【図９】
2004342415.tif 000011
【図１０】
2004342415.tif 000012